【手続補正書】
【提出日】平成20年9月1日(2008.9.1)
【手続補正１】
【補正対象書類名】明細書
【補正対象項目名】特許請求の範囲
【補正方法】変更
【補正の内容】
【特許請求の範囲】
【請求項１】  複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、
前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、
前記記録ヘッドに配列される前記複数の記録素子のうち画像の記録に使用する記録素子の範囲が異なる複数の記録モードから、前記記録制御手段による画像の記録に適用する記録モードを選択する選択手段と、を有し、
前記複数の記録モードのそれぞれは、画像の記録に使用する前記記録素子の数が同一であり、かつ被記録媒体の前記同一領域の画像を完成させるための走査の回数が同一であることを特徴とする記録装置。
【請求項２】  複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、
前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、
前記同一領域の画像を完成させる複数回の走査の間に行う複数回の搬送それぞれの量を等しくして記録を行う第一の記録モードと、異なる搬送量を含む複数回の被記録媒体の搬送を行うことで複数回の前記記録ヘッドの走査により前記同一領域の画像を完成させる第二の記録モードから、前記記録制御手段による画像の記録に適用する記録モードを選択する選択手段と、を有し、
前記複数の記録モードのそれぞれは、画像の記録に使用する前記記録素子の数が同一であり、かつ被記録媒体の前記同一領域に対する画像を完成させるための走査の回数が同一であることを特徴とする記録装置。
【請求項３】  前記選択手段は、複数の前記記録モードにより、画像品位をチェックするためのチェックパターンを記録したことに伴う使用者の選択に従い、適用する記録モードを選択することを特徴とする請求項１または２に記載の記録装置。
【請求項４】  複数の前記記録モードにより、画像品位をチェックするためのチェックパターンを記録した結果を読み取る読取手段をさらに有し、
前記選択手段は、前記読取手段による読み取りの結果に従って適用する記録モードを選択することを特徴とする請求項１または２に記載の記録装置。
【請求項５】  前記チェックパターンは、５０〜１２．５％の記録濃度を示す記録画像であることを特徴とする請求項３または４に記載の記録装置。
【請求項６】  前記記録ヘッドは、インクを吐出する吐出口を有し、吐出したインクにより画像を記録することを特徴とする請求項１から５のいずれかに記載の記録装置。
【請求項７】  複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、
前記記録ヘッドに配列される前記複数の記録素子のうち画像の記録に使用する記録素子の範囲が異なる複数の記録モードから、画像の記録に適用する記録モードを選択する選択工程と、
前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、
前記複数の記録モードのそれぞれは、画像の記録に使用する前記記録素子の数が同一であり、かつ被記録媒体の前記同一領域の画像を完成させるための走査の回数が同一であることを特徴とする記録方法。
【請求項８】  複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、
前記搬送動作における搬送の量の制御が互いに異なる複数の記録モードから、画像の記録に適用する記録モードを選択する選択工程と、
前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、
前記複数の記録モードは、前記同一領域の画像を完成させる複数回の走査の間に行う複数回の搬送それぞれの量を等しくして記録を行う第一の記録モードと、異なる搬送量を含む複数回の被記録媒体の搬送を行うことで複数回の前記記録ヘッドの走査により前記同一領域の画像を完成させる第二の記録モードを含み、且つ、前記複数の記録モードのそれぞれは、画像の記録に使用する前記記録素子の数が同一であり、かつ被記録媒体の前記同一領域に対する画像を完成させるための走査の回数が同一であることを特徴とする記録方法。
【手続補正２】
【補正対象書類名】明細書
【補正対象項目名】０００８
【補正方法】変更
【補正の内容】
【０００８】
【課題を解決するための手段】
本発明の記録装置は、複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、前記記録ヘッドに配列される前記複数の記録素子のうち画像の記録に使用する記録素子の範囲が異なる複数の記録モードから、前記記録制御手段による画像の記録に適用する記録モードを選択する選択手段と、を有し、前記複数の記録モードのそれぞれは、画像の記録に使用する前記記録素子の数が同一であり、かつ被記録媒体の前記同一領域の画像を完成させるための走査の回数が同一であることを特徴とする。
本発明の記録装置は、複数の記録素子を配列した記録ヘッドを前記配列の方向とは異なる方向に走査する走査手段と、被記録媒体を前記走査と異なる方向へ搬送する搬送手段とを有し、前記走査手段による走査中の記録動作と前記搬送手段による搬送とを繰り返して被記録媒体に画像を記録する記録装置において、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録制御手段と、前記同一領域の画像を完成させる複数回の走査の間に行う複数回の搬送それぞれの量を等しくして記録を行う第一の記録モードと、異なる搬送量を含む複数回の被記録媒体の搬送を行うことで複数回の前記記録ヘッドの走査により前記同一領域の画像を完成させる第二の記録モードから、前記記録制御手段による画像の記録に適用する記録モードを選択する選択手段と、を有し、前記複数の記録モードのそれぞれは、画像の記録に使用する前記記録素子の数が同一であり、かつ被記録媒体の前記同一領域に対する画像を完成させるための走査の回数が同一であることを特徴とする。
【手続補正３】
【補正対象書類名】明細書
【補正対象項目名】０００９
【補正方法】変更
【補正の内容】
【０００９】
本発明の記録方法は、複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、前記記録ヘッドに配列される前記複数の記録素子のうち画像の記録に使用する記録素子の範囲が異なる複数の記録モードから、画像の記録に適用する記録モードを選択する選択工程と、前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、前記複数の記録モードのそれぞれは、画像の記録に使用する前記記録素子の数が同一であり、かつ被記録媒体の前記同一領域の画像を完成させるための走査の回数が同一であることを特徴とする。
本発明の記録方法は、複数の記録素子を配列した記録ヘッドを前記配列の方向とは異なる方向に走査しながら記録を行う記録走査と、被記録媒体を前記走査と異なる方向へ搬送する搬送動作とを繰り返し、被記録媒体に画像を記録する記録方法であって、前記搬送動作における搬送の量の制御が互いに異なる複数の記録モードから、画像の記録に適用する記録モードを選択する選択工程と、前記選択工程において選択された前記記録モードに従い、前記搬送手段による搬送の量を前記記録ヘッドに前記複数の記録素子が配列される幅よりも少なくし、前記走査手段による各走査において間引いた画像を形成することにより、前記記録ヘッドを被記録媒体の同一領域に対して複数回走査させて画像を完成させる記録工程と、からなり、前記複数の記録モードは、前記同一領域の画像を完成させる複数回の走査の間に行う複数回の搬送それぞれの量を等しくして記録を行う第一の記録モードと、異なる搬送量を含む複数回の被記録媒体の搬送を行うことで複数回の前記記録ヘッドの走査により前記同一領域の画像を完成させる第二の記録モードを含み、且つ、前記複数の記録モードのそれぞれは、画像の記録に使用する前記記録素子の数が同一であり、かつ被記録媒体の前記同一領域に対する画像を完成させるための走査の回数が同一であることを特徴とする。